(57)【特許請求の範囲】
【請求項１】
壁面パネルと支持材とにより構成し、
この壁面パネルは、
長方形の板体であり、
その上縁には、
長手方向に平行で、両側は斜面になっている係合溝と、
係合溝の一側に突設した係合縁と、
係合溝の他側に突設して、係合縁の破損を阻止するための保護縁とを備え、
係合溝の溝底から係合縁と保護縁頂部までの高さがほぼ同一であるように構成し、
一方、支持材は、
建築物の壁面に取り付けた水平支持板と、
その上側に形成した敷居溝と、
その下側に形成し、パネルの係合縁の厚さよりも十分に広く設定してある鴨居溝とよりなる支持材であり、
壁面パネルと支持材は、ケンドン式と呼ばれる落とし込みにより構成する、
壁面パネルの取り付け構造。
【請求項２】
請求項１記載の壁面パネルの取り付け構造において、
さらに揺れ止め材を備え、
この揺れ止め材は、
支持材の鴨居溝の建築物側と、パネル上縁の係合縁の建築物側との間に介在する弾性材である揺れ止め材である、
壁面パネルの取り付け構造。
【請求項３】
請求項１記載の壁面パネルの取り付け構造において、
係合溝の建築物側の斜面に、溝底に平行に設けた棚状の小段を備え、
この小段の上面は、
パネルを支持材に取り付けた場合に水平な面となり、
かつ支持材の水平支持板の先端に鉛直に取り付けた鉛直係止板のほぼ真下に位置するよう構成した、
壁面パネルの取り付け構造。
【請求項４】
請求項１記載の壁面パネルの取り付け構造において、
ひとつのパネルと隣接するパネルの間に介在するストッパを備え、
このストッパは、
パネル間に設置する、弾性材からなる挟持体と、
この挟持体と直交する位置にあって、支持材に取り付けるための嵌合縁によって構成した、
壁面パネルの取り付け構造。
【請求項５】
建築物の壁面に支持材を取り付け、
その支持材を介してパネルを落とし込み構造で取り付ける方法であって、
支持材は水平支持板の上側には敷居溝を形成し、
水平支持板の下側には鴨居溝を形成してあり、
パネルはその上縁に長手方向に平行に両側は斜面になっている係合溝を刻設してあり、
係合溝の一側には係合縁を突設し、
係合溝の他側には、係合縁の破損を阻止するための保護縁を突設し、
係合溝の溝底から係合縁と保護縁頂部までの高さがほぼ同一であるように構成してあり、
パネルの係合縁を、係合縁の厚さよりも十分に広く設定してある支持材の鴨居溝内に収納し、
保護縁は、鴨居溝よりも外側に位置するように設置することを特徴とする、壁面パネルの取り付け方法。
【発明の詳細な説明】
【技術分野】
【０００１】
本発明は、壁面パネルを、既設、新設の建築物の壁面に取り付ける構造とその取り付け方法に関するものである。
【背景技術】
【０００２】
従来から、化粧板などの壁面パネルを、ボルトで取り付ける方法、あるいは取り付け金具などに固定して取り付ける方法が知られている。
そのような方法では、取り付けのつどパネルを加工する必要があり、また取り付け作業中にパネルを破損してしまう可能性がある、ということで、特許文献１に示すように、落とし込み方法で取り付ける方法も知られている。
落とし込み方法とは、古くから「倹飩（けんどん）」などと呼ばれる方法であり、開口部の上下に溝を設け、取り付けるべきパネルの上端を上の溝に向けて斜めに挿入し、その後に、パネルの下端を開口部側に振って、パネルの下端を開口部の下の溝の上に位置させ、それから下に落して、上下の溝の間にはめ込む方法である。
【先行技術文献】
【特許文献】
【０００３】
【特許文献１】特許３２１９３３８号公報。
【発明の概要】
【発明が解決しようとする課題】
【０００４】
前記したような従来の「ケンドン式」と呼ばれる落とし込み構造の壁面パネルにあっては、次のような問題点がある。
＜１＞  図６、７に示すように、パネルａの上端には差込縁ｂが形成してあり、パネルａはその厚さが急激に薄くなる形状を呈している。
＜２＞  一方、パネルａの落とし込みによる取り付けは、作業性のよい広い平面での作業ではなく、建築物の外周に仮設で組み立てた狭い足場の上で手渡しで行うような作業であり、パネルは３０ｋｇ以上の重量を有するから、取り付け作業中、あるいは運搬作業中に周囲の構造体に、パネルａの縁をぶつける可能性もある。
＜３＞  すると、特に厚さの薄くなっている差込縁ｂは、重要な機能を果たす部分でありながら薄いために衝撃に弱く、その差込縁ｂが破損したり、ひびが入ったりしてしまう可能性がある。
＜４＞  落とし込み構造では、この差込縁ｂが支持材ｃの鉛直係止板ｄに係止していることが前提であるから、差込縁ｂにひびが入って取り付け後の振動などで欠損してしまうようなことは絶対に避けなければならない。
【課題を解決するための手段】
【０００５】
上記のような課題を解決するためになされた本発明の壁面パネルの取り付け構造は、壁面パネルと支持材とにより構成し、この壁面パネルは、長方形の板体であり、その上縁には、長手方向に平行で、両側は斜面になっている係合溝と、係合溝の一側に突設した係合縁と、係合溝の他側に突設して、係合縁の破損を阻止するための保護縁とを備え、係合溝の溝底から係合縁と保護縁頂部までの高さがほぼ同一であるように構成し、一方、支持材は、建築物の壁面に取り付けた水平支持板と、その上側に形成した敷居溝と、その下側に形成し、パネルの係合縁の厚さよりも十分に広く設定してある鴨居溝とよりなる支持材であり、壁面パネルと支持材は、ケンドン式と呼ばれる落とし込みにより構成したことを特徴とするものである。
また本発明の壁面パネルの取り付け方法は、建築物の壁面に支持材を取り付け、その支持材を介してパネルを落とし込み構造で取り付ける方法であって、支持材は水平支持板の上側には敷居溝を形成し、水平支持板の下側には鴨居溝を形成してあり、パネルはその上縁に長手方向に平行に両側は斜面になっている係合溝を刻設してあり、係合溝の一側には係合縁を突設し、係合溝の他側には、係合縁の破損を阻止するための保護縁を突設し、係合溝の溝底から係合縁と保護縁頂部までの高さがほぼ同一であるように構成してあり、パネルの係合縁を、係合縁の厚さよりも十分に広く設定してある支持材の鴨居溝内に収納し、保護縁は、鴨居溝よりも外側に位置するように設置することを特徴とするものである。
【発明の効果】
【０００６】
本発明の壁面パネルの取り付け構造と取り付け方法は以上説明したようになるから次のような効果を得ることができる。
＜１＞  ボルトなどを利用するパネルの取り付けに比較して、取り付けがきわめて容易な落とし込みによる取り付けでありながら、弱点となりやすいパネル上端縁に、係合縁と平行に保護縁を形成した。
＜２＞  そのために、足場の悪い場所での運搬、組み立て時にパネルの縁が周囲の構造物に衝突しても、係合縁が破損する可能性がきわめて少なくなり、信頼性の高いパネルの構造と取り付け方法を提供することができる。
＜３＞  また、パネル上端の係合縁と支持材との間に防振ゴムなどの揺れ止め部材を介在させた場合には、設置後の強風や地震、経年変化などによるパネルのガタつきを抑制することができ、さらに高い信頼性を確保することができる。
【図面の簡単な説明】
【０００７】
【図１】本発明の壁面パネルを取り付ける状態の説明図。
【図２】パネルの取り付け構造の説明図。
【図３】パネルの上縁の取り付け構造の説明図。
【図４】隣接するパネルとの間にストッパを設置した状態の説明図。
【図５】ストッパの斜視図。
【図６】従来の壁面パネルの一例の説明図。
【図７】従来の壁面パネルの取り付け構造の説明図。
【発明を実施するための形態】
【０００８】
以下図面を参照にしながら本発明の好適な実施の形態を図面とともに詳細に説明する。
【実施例】
【０００９】
＜１＞全体の構成。
本発明の壁面パネル２の取り付け構造は、建築物の壁面に支持材１を取り付け、その支持材１にパネル２を「ケンドン式」に落とし込む方法で取り付けるものである。
【００１０】
＜２＞支持材１。
支持材１は鉛直の固定板１１から水平方向に水平支持板１２を突設してある。
この水平支持板１２の先端には、水平支持板１２と直交する方向に、鉛直係止板１３が取り付けてある。
この水平支持板１２と、鉛直係止板１３とによって、水平支持板１２の上側には敷居溝１４を形成することができる。
またこの水平支持板１２と鉛直係止板１３とによって、水平支持板１２の下側には鴨居溝１５を形成することができる。
この鴨居溝１５には、パネル２の上縁を斜めに差し込んで、水平支持板１２よりも下側から、パネル２を取り付けるものである。
一方、敷居溝１４は、鴨居溝１５に余裕をもって差し込んだパネル２を落とし込んで嵌合するための溝である。
【００１１】
＜３＞パネル。
パネル２は、基本的には長方形の板体であり、例えばガラス繊維で補強したモルタル板で構成する。
その他、多数の種類のパネル２が製造、販売されているので、いずれのパネル２でも本発明の構成を採用することができる。
【００１２】
＜４＞係合溝。
パネル２の上縁には、長手方向に平行に係合溝２１を刻設する。
係合溝２１の深さは、鴨居溝１５の鉛直係止板１３の高さよりも深く形成する。
そして係合溝２１の両側には平行に係合縁２２と保護縁２３を形成する。
すなわち、パネル２の上縁に溝を刻して係合溝２１を形成した結果、その一側には係合縁２２が突設した状態で残り、係合溝２１の他側には、保護縁２３が突設した状態で残ることになる。
パネル２の上縁に溝を刻設したものであるから、係合溝２１の溝底から係合縁２２と保護縁２３頂部までの高さがほぼ同一となる。
【００１３】
＜５＞係合縁。
この係合縁２２は、前記した従来例の差込縁ｂと同様の機能を果たすものである。
すなわちパネル２を設置する場合に、パネル２の上縁が下辺よりも鴨居溝１５に近づくように斜めに位置させて、係合縁２２を、支持材１の鴨居溝１５に斜め下から差し込み、その後にパネル２を敷居溝１４内に静かに落とし込んで取り付けるものである。
パネル２の上縁の係合縁２２が余裕を持って鴨居溝１５の内部に挿入できるように、鴨居溝１５の溝幅は、係合縁２２の厚さよりも十分に広く設定しておく。
【００１４】
＜６＞保護縁。
上記のように、パネル２の設置のためには、パネル２の厚さに比較して十分に薄い係合縁２２だけがあればその機能を果たすことができ、従来のパネル２はそのような構成であった。
しかし本願発明のパネル２では、係合溝２１を挟んで、薄い係合縁２２と平行に、別に保護縁２３を備えている。
そのために、パネル２の運搬、あるいは足場上での取り付け作業中で、パネル２が障害物に衝突した場合に、この保護縁２３が衝突することによって、パネル２の取り付け機能からはきわめて重要な部材である係合縁２２の破損を阻止することができる。
【００１５】
＜７＞係合溝の排水。
上下のパネル２間には目地が発生するが、この目地を目地材で埋める場合もあり、埋めない場合もある。
目地を埋めない場合には上のパネル２と下のパネル２との間から係合溝２１の溝内に雨水が浸入する。
この雨水はパネル２の側面から垂れ流せば問題がない。
この場合に係合溝２１からの排水を迅速に促進することもできる。
そのために例えば１枚のパネル２において、係合溝２１の中心部では溝を浅く、周辺では溝を深く形成する。
すると係合溝２１の底面は、パネル２の中心部からパネル２の両側面に向けてなだらかに下り坂状の斜面を形成することになるので、係合溝２１に集まった雨水を迅速に排水することができる。
あるいはパネル２の製造時にその内部に鉛直方向に縦パイプを埋設しておき、その縦パイプの上端を係合溝２１の底で開放し、縦パイプの下端をパネル２の底部で開放しておく構成を採用することもできる。
【００１６】
＜８＞パネルの下縁。
パネル２の下縁にも、長手方向に平行に上向きに係合溝２４を形成してある。
このようにパネル２の下縁に上向きに溝を刻して係合溝２４を形成した結果、その一側には係合縁２５が突設した状態で残り、係合溝２４の他側には、保護縁２６が突設した状態で残ることになる。
その際に保護縁２６は、係合縁２５よりも下方に突出した状態で構成する。
すると、係合溝２４を支持材１の鉛直係止板１３に挿入することによって、パネル２下縁の係合縁２５を、支持材１の敷居溝１４の中に収納することができる。
そのためには、持ち上げた状態のパネル２を鉛直に静かに落とせばよい。
【００１７】
＜９＞パネルの揺れ止め。
上記したようにケンドン式の取り付け方法は、パネル２を斜め下方から、上段の鴨居溝１５に差し込み、その後にパネル２を鉛直にして下縁を下段の敷居溝１４に差し込む構造であるから、パネル２の上縁の係合縁２２、係合溝２１と、鴨居溝１５との寸法には多少の余裕が必要である。
そのために取り付けが簡単である一方、パネル２の上縁ではガタつきが発生しやすい。
そのために支持材１の鴨居溝１５の建築物側と、パネル２上縁の係合縁２２の建築物側との間に、図３に示すように揺れ止め材３として例えば防振ゴムを介在させる。
この揺れ止め材３としての防振ゴムは、長尺の棒状体であり、支持材１に鴨居溝１５と平行に取り付ける。
そのために支持材１の鴨居溝１５の建築物側の壁面には、例えば断面がＣ字状の取付溝１６を凹設し、揺れ止め材３としての防振ゴムの背面にはこの取付溝に嵌合する嵌合縁３１を突設する。
こうして鴨居溝１５の建築物側の壁面から、揺れ止め材３をパネル２側に突出させることで、パネル２と鴨居溝１５の壁の間を充填してパネル２を常に支持材１の鉛直係止板１３に圧着させることができ、パネル２のガタつきを阻止できる。
【００１８】
＜１０＞係合溝内の小段。
係合溝２１はパネル２の上縁に切り込んだ溝であり、溝の両側は斜面になっているが、その建築物側の斜面には、溝底に図３に示すように、平行に棚状の小段２１ａを設ける。
この小段２１ａの上面は、パネル２を支持材１に取り付けた場合に水平な面となり、支持材１の鉛直係止板１３のほぼ真下に位置する。
そのために、風圧などでパネル２が持ち上げられた場合に、小段２１ａの上面が鉛直係止板１３の下端に衝突してパネル２のそれ以上の上昇が阻止され、パネル２の外れや転落を防止することができる。
【００１９】
＜１１＞パネルのスライドの阻止。
パネル２は前記したように、鴨居溝１５と敷居溝１４の間にケンドン式に差し込んで設置したものであるから、外力によって鴨居溝１５と平行に移動する可能性がある。
そこでパネル２とパネル２の間にはストッパ４を介在させる。（図５）
このストッパ４は、パネル２間に設置する、弾性材からなる挟持体４１と、この挟持体４１と直交する位置にあって、支持材１に取り付けるための嵌合縁４２によって構成する。
そのために支持材１の敷居溝１４の建築物側の壁面には、例えば断面がＣ字状のストッパ取付溝１７を形成し、ストッパの背面の嵌合縁４２との嵌合が可能であるように形成する。
このストッパ４を使用し、敷居溝１４の建築物側の壁面からストッパ４の挟持体４１をパネル２間に突出させる。
その結果、ひとつのパネル２と隣接するパネル２との間に目地空間を形成した状態で、パネル２の水平移動を阻止することができる。
【００２０】
＜１１＞パネルの取扱い。
本発明のパネル２の取り付けに際しては、パネル２の下地水平に設置した上側の支持材１の鴨居溝１５と、それと平行に水平に設置した下側の支持材１の敷居溝１４の間にはめ込んで行う。
この作業は前記したようにケンドン式に、斜めにしたパネル２の上縁を鴨居溝１５に嵌合し、その後、パネル２を鉛直にして下に落とし込むことでパネル２の下縁を敷居溝１４の内部に設置することができる。
そのような作業は、通常は建築物の外面に沿って組み立てた足場の上で行うので効率のよくない作業となり、かつ狭い場所での作業となるためパネル２の運搬、取扱い中で、パネル２の端面を障害物にぶつける可能性が高い。
その場合に本発明のパネル２は、上縁に長手方向に刻設した係合溝２１の外側に、係合縁２２とは別に保護縁２３を形成してある。
そのために、保護縁２３の存在によって係合縁２２が衝突で欠ける可能性を大幅に低下させることができ、信頼性の高い、運搬、設置が可能となった。
【符号の説明】
【００２１】
１：支持体
１４：敷居溝
１５：鴨居溝
２：パネル
２１：係合溝
２２：係合縁
２３：保護縁
３：揺れ止め材
４：ストッパ
【図１】
0005945396.tif 000002
【図２】
0005945396.tif 000003
【図３】
0005945396.tif 000004
【図４】
0005945396.tif 000005
【図５】
0005945396.tif 000006
【図６】
0005945396.tif 000007
【図７】
0005945396.tif 000008